(57)【要約】      （修正有）【課題】観音開き式扉に配設された結露や着霜を防止するための加熱源の発熱量を抑えつつ、加熱源の配設が困難な位置を所望の温度に加熱することができ、省電力性能を向上させることができる冷蔵庫を提供する。【解決手段】内部に貯蔵室が形成された断熱箱体と、貯蔵室を冷却する冷却器とを備える冷蔵庫において、吸熱部８２の熱を放熱部８４へ輸送するヒートパイプ８０と、吸熱部８２に接触配置された加熱源４０とを観音開き式扉の間を閉塞する総仕切り体の内部に配設する。【選択図】図４
2014137192.tif 000002
【特許請求の範囲】
【請求項１】
内部に貯蔵室が形成された断熱箱体と、前記貯蔵室を冷却する冷却器と、吸熱部の熱を放熱部へ輸送するヒートパイプと、前記吸熱部に接触配置された加熱源とを備えることを特徴とする冷蔵庫。
【請求項２】
前記貯蔵室の前面開口部の左右両側に回動自在に枢支されて当該開口部を閉塞する観音開き式扉と、前記観音開き式扉のうちの一方の扉の反枢支側に取り付けられ、開閉扉動作に応じて回動することで前記観音開き式扉の間を閉塞する縦仕切体とを備え、
前記加熱源と前記ヒートパイプとが前記縦仕切体の内部に配設されていることを特徴とする請求項１に記載の冷蔵庫。
【請求項３】
閉扉時に前記観音開き式扉と対向する前記縦仕切体の前壁の背面に前記放熱部が当接することを特徴とする請求項２に記載の冷蔵庫。
【請求項４】
前記放熱部が、前記縦仕切体の角部に沿って屈曲していることを特徴とする請求項２又は３に記載の冷蔵庫。
【請求項５】
前記縦仕切体の少なくとも下端部に前記ヒートパイプが配設されていることを特徴とする請求項２〜４のいずれか１項に記載の冷蔵庫。
【請求項６】
前記吸熱部が前記加熱源の背面に当接し、前記加熱源の前面が前記前壁の背面に当接することを特徴とする請求項３に記載の冷蔵庫。
【発明の詳細な説明】
【技術分野】
【０００１】
本発明の実施形態は、冷蔵庫に関する。
【背景技術】
【０００２】
従来より、冷蔵庫には、外気と冷蔵庫内との温度差による結露を防止する防露ヒータあるいは防露パイプや、庫内を冷却する冷却器に付着した霜を融解除去する除霜ヒータや、野菜室が必要以上に冷却されるのを防止する温度保証ヒータなど、各種の加熱源が配設されている（例えば、下記特許文献１参照）。
【０００３】
ところで、加熱源の種類や形状の関係で、冷蔵庫における加熱対象の隅々まで加熱源を配設することが困難な場合があるが、このような場合、加熱対象の隅々まで所望の温度に達するように加熱源の発熱量を大きく設定しなければならず、消費電力が増加する問題がある。
【先行技術文献】
【特許文献】
【０００４】
【特許文献１】特開２０１２−７２９６７号公報
【発明の概要】
【発明が解決しようとする課題】
【０００５】
本発明は上記問題を考慮してなされたものであり、加熱源の発熱量を抑えつつ加熱源の配設が困難な位置を所望の温度に加熱することができ、省電力性能を向上させることができる冷蔵庫を提供することを目的とする。
【課題を解決するための手段】
【０００６】
本発明の実施形態は、内部に貯蔵室が形成された断熱箱体と、前記貯蔵室を冷却する冷却器と、吸熱部の熱を放熱部へ輸送するヒートパイプと、前記吸熱部に接触配置された加熱源とを備えることを特徴とする。
【図面の簡単な説明】
【０００７】
【図１】本発明の実施例の冷蔵庫の観音開き式扉を開いた状態の正面図である。
【図２】冷蔵室の上面から見た説明図である。
【図３】縦仕切り体の分解斜視図であって、本体のみを分解した状態である。
【図４】縦仕切体の分解斜視図であり、前壁、熱伝導板、ヒータ、断滅部材を分解した状態である。
【図５】ヒータ及びヒートパイプを前壁に配した状態の平面図である。
【図６】図５のＡ−Ａ断面図である。
【図７】本発明の変更例に係る冷蔵庫においてヒータ及びヒートパイプを前壁に配した状態の平面図である。
【発明を実施するための形態】
【０００８】
以下、本発明の第１実施形態に係る冷蔵庫１０について図面を参照して説明する。
【０００９】
図１に例示するように、冷蔵庫１０は、外箱と内箱との間に断熱材を充填した断熱箱体からなる冷蔵庫本体１１を備え、その内部に貯蔵室が設けられている。
【００１０】
冷蔵庫本体１１の内部に設けられた貯蔵室は、最上部に配置された冷蔵室１２と、冷蔵室１２の下方において左右に隣接して配置された製氷室１４及び温度切替室１６と、製氷室１４及び温度切替室１６の下方に配置された野菜室１８と、野菜室１８の下方に配置された冷凍室２０とから構成され、野菜室１８及び冷凍室２０の後部に配設された冷却器で生成された冷気が送風され、所定の設定温度に冷却される。
【００１１】
冷蔵室１２の前面開口部は、該開口部を幅方向に区分する観音開き式の左扉２４および右扉２６により閉塞される。この左扉２４および右扉２６は、冷蔵庫本体の左右両側に設けたヒンジ２２により回動自在に枢支されている。左扉２４および右扉２６の裏面周縁部には、内部にマグネットを備えたガスケット２８が全周縁にわたって取り付けられている。
【００１２】
図２に示すように、左扉２４の枢支側に対向する反枢支側（図２において、右側）の裏面には、上下方向に沿って延びた縦仕切体３０が、左扉２４の右端部にあるヒンジ７８によって回動自在に取り付けられ、左扉２４の開閉に連動して回動するように構成されている。縦仕切体３０は、左扉２４を閉じた状態では、図２に示すように左扉２４の右端部から右扉２６へ突出する姿勢となって左右の扉２４，２６の背面に設けられたガスケット２８に当接して右扉２６との間の隙間を閉塞し、左扉２４を開いた状態では、左扉２４の後方へ突出する姿勢となって右扉２６の開閉の妨げにならない位置へ待避する。
【００１３】
次に、縦仕切体３０の構造について、図３〜図６に基づいて説明する。
【００１４】
縦仕切体３０は、縦仕切体３０の前部を構成する前壁３２と、縦仕切体３０の両側部及び後部を構成する箱型の合成樹脂製の本体３４とを備える。
【００１５】
前壁３２は、右扉２６を閉じた状態で左右の扉２４、２６の背面に対向しガスケット２８が有するマグネットの吸着面を構成する鋼板製の前板３３と、前板３３の背面に貼付されたブチル板よりなる熱伝導板３６とを備える。
【００１６】
前壁３２及び本体３４の間には、断熱層を形成する発泡ウレタンなどよりなる上下に長い直方体状の断熱部材３８と、前壁３２及び断熱部材３８との間に配設されたヒータ４０及びヒートパイプ８０とを備える。
【００１７】
ヒータ４０は、冷蔵庫内と外気との温度差により前壁３２の前面に結露が発生するのを防止する加熱源であり、図５に示すように、縦仕切体３０の前壁３２の上部から下部までＳ字状に周回するように配されている。具体的には、前壁３２の背面のほぼ中央部において、ヒータ４０の一端が取り付けられ、次に前壁３２の上部まで前壁３２の一側部に沿って配され、次に前壁３２の上部で下方に屈曲され、次に、上方に向かうヒータ４０と並列（２列）になるように前壁３２の他側部に沿って下方に配され、次に、前壁３２の中央部で一側部から他側部になるように斜めに配され、次に、前壁３２の一側部に沿って下方に配され、次に、前壁３２の下部で屈曲され、次に、下方に向かうヒータ４０と並列（２列）になるように前壁３２の他側部に沿って上方に配され、最後に再び前壁３２の中央部に至る。Ｓ字状に配されたヒータ４０は、熱伝導を良くするためにアルミ箔７４によって板状に覆われて、保護されている。なお、ヒータ４０の配線は、上記とは左右対称の逆Ｓ字状に配しても良い。
【００１８】
図４において、断熱部材３８の左側面から引き出されたヒータ４０の一端部４０ａは、第１接続部４２を介して第１リード線４４と接続される。また、同じく、断熱部材３８の右側面から引き出されたヒータ４０の他端部４０ｂは、第２接続部４６を介して第２リード線４８と接続される。
【００１９】
第１接続部４２は、合成樹脂製のチューブ状の部材であって、第１接続部４２の一方にヒータ４０の一端部４０ａが挿入され、他方に第１リード線４４が挿入される。ヒータ４０の一端部４０ａは、断熱部材３８の左側面に形成された溝状の左収納凹部５０に収納され、かつ、支持された状態で断熱部材３８の後面に回り、その後に上方に折曲され、第１接続部４２と接続される。第１接続部４２は、断熱部材３８の後面に上下方向に形成された後収納凹部５２に収納される。
【００２０】
第２接続部４６は、合成樹脂製のチューブ状の部材であって、第２接続部４６の一方にヒータ４０の他端部４０ｂが挿入され、他方に第２リード線４８が挿入される。ヒータ４０の他端部４０ｂは、断熱部材３８の右側面に形成された溝状の右収納凹部５４に収納され、かつ、支持された状態で断熱部材３８の後面に至り、その後に下方に折曲され、第２接続部４６と接続される。第２接続部４６は、後収納凹部５２に収納される。
【００２１】
第１接続部４２に接続された第１リード線４４は、そのまま断熱部材３８の上部に至り、左扉２４と接続するためのリード線固定部材６２に至る。一方、第２接続部４６に接続された第２リード線４８は上方に屈曲され、第１接続部４２と第２接続部４６の間を通って上方に至りリード線固定部材６２に接続される。
【００２２】
また、断熱部材３８の両側面には、本体３４の内面に設けられた複数の係合爪７１と係合する係合凹部７０が形成されている。
【００２３】
リード線固定部材６２で束ねられた第１リード線４４と第２リード線４８とは、リード線固定部材６２を経て、リード線固定部材６２から引き出され、その先端にコネクター７６が取り付けられている。
【００２４】
ヒートパイプ８０は、銅などの金属製のパイプ内に水やアルコールや炭化水素系冷媒などの作動液とウィックとを封入したものであり、一端部にヒータ４０から放出された熱を吸収する吸熱部８２が設けられ、他端部に吸熱部８２で吸収したヒータ４０の熱が輸送されこれを放出する放熱部８４とを備える。
【００２５】
このヒートパイプ８０は、図５に示すように、縦仕切体３０の上端部と下端部にそれぞれ配置されている。縦仕切体３０の上端部に配置されたヒートパイプ８０は、２列になって上下方向に延びるヒータ４０の一方のヒータ（図５の左側のヒータ）４０の上端部背面に吸熱部８２が当接している（図６参照）。ヒートパイプ８０を構成するパイプは、吸熱部８２から上方へ延びヒータ４０の上方で前方へ（つまり、前壁３２の背面に向けて）折れ曲がりその先端側が前壁３２の背面に当接する放熱部８４を構成する。前壁３２の背面に当接する放熱部８４は、前壁３２の上端角部に沿って屈曲し、２列になって上下方向に延びるヒータ４０の他方のヒータ（図５の右側のヒータ）４０の上方に間隔をあけて終端している。
【００２６】
また、縦仕切体３０の下端部に配置されたヒートパイプ８０は、上端部に配置したヒートパイプ８０と上下反転している点が異なるのみで、吸熱部８２が一方のヒータ４０の下端部背面に当接し、放熱部８４が前壁３２の背面に当接しつつ前壁３２の下端角部に沿って屈曲し、他方のヒータ４０の下方に間隔をあけて終端している。
【００２７】
なお、本実施形態では、縦仕切体３０の上下端部の両方にヒートパイプ８０を配置する場合について説明したが、上端部あるいは下端部いずれか一方のみにヒートパイプ８０を配置してもよく、好ましくは、少なくとも下端部にヒートパイプ８０を配置することが好ましい。少なくとも下端部にヒートパイプ８０を配置することで、万一、縦仕切体３０の上端部などで生じた結露が縦仕切体３０を伝って下方へ流れ落ちることがあっても縦仕切体３０の下端部に配置されたヒートパイプ８０の放熱部８４の熱によって蒸発するため、冷蔵室内に露が滴り落ちるのを防止することができる。
【００２８】
また、図７に示すように、縦仕切体３０の上端部あるいは下端部にヒートパイプ８０を２つ配置してもよい。
【００２９】
更にまた、上記したい本実施形態では、縦仕切体３０に防露用のヒータ４０とヒートパイプ８０を設ける場合について説明したが、本発明はこれに限定されず、例えば、冷蔵庫本体１１への結露を防止するために冷蔵庫本体１１の断熱材内に配設したり、冷却器に付着した霜を融解除去するために冷却器の近傍に配設したり、野菜室が必要以上に冷却されるのを防止するために野菜室の底面を構成する断熱仕切内に配設したりすることができる。
【００３０】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３１】
１０…冷蔵庫      １１…冷蔵庫本体      １２…冷蔵室
２４…左扉      ２６…右扉      ３０…縦仕切体
３２…前壁      ３３…前板      ３４…本体
３６…熱伝導板      ３８…断熱部材      ４０…ヒータ
８０…ヒートパイプ      ８２…吸熱部      ８４…放熱部
【図１】
2014137192.tif 000003
【図２】
2014137192.tif 000004
【図３】
2014137192.tif 000005
【図４】
2014137192.tif 000006
【図５】
2014137192.tif 000007
【図６】
2014137192.tif 000008
【図７】
2014137192.tif 000009